(57)【要約】【課題】  緊急警報放送の受信において、自分の居住地に対するもののみを受信あるいは全ての地域に対するものを受信という2通りの形態しかなかった。居住地以外の緊急警報放送も希望する場合、全く関心の無い地域への放送をも受信することになり、しかも自分の居住地に対する視聴形態と全く同じ形態を取る事になっていた。【解決手段】  緊急警報放送の受信を希望する地域を複数指定し、かつ、各地域についてそれぞれ視聴形態をあらかじめ設定することにより、確実な情報入手を適切な形態で行うことが出来る。【選択図】  図１
2007251520.tif 000002
【特許請求の範囲】
【請求項１】
緊急警報放送の受信が可能なテレビジョン受像機であって、緊急警報放送の視聴を希望する地域をユーザーが複数選択する手段を有し、該選択手段により選択された地域いずれかに対する緊急警報放送のみを選択視聴する事を可能とするテレビジョン受像機。
【請求項２】
緊急警報放送の受信が可能なテレビジョン受像機であって、請求項１の緊急警報放送受信地域選択手段により選択された地域それぞれに対し、ユーザーがあらかじめ視聴形態を設定する手段を有し、該視聴形態設定手段により設定された内容に応じて緊急警報放送の視聴形態を自動的に変更する事を可能とするテレビジョン受像機。
【発明の詳細な説明】
【技術分野】
【０００１】
本発明は緊急警報放送の受信対象地域及び視聴形態をユーザーが選択・設定するための方式に関する。
【背景技術】
【０００２】
特開2003-348034（財団法人エヌエチケイエンジニアリングサービス）などにもあるように、従来、アナログ放送においては、特殊な音声信号（デジタル信号であるが、1024Hzの音声信号で「1」を、640Hzの音声信号で「0」を示すように変調しており、専用の受信機がなくても警報信号音を直接耳で識別することが出来る）を放送し、その音声信号に応じて緊急警報放送を受信する技術が存在する。この音声信号には、「信号種別」、「地域」、「年」、「月」、「日」、「時」が含まれており、「地域」で示される信号に基づいて、全国放送や、限定した地域を対象とした放送を行うことも可能である。
【０００３】
また、従来、ＢＳデジタル放送においても、どの地域に緊急警報放送を送るかを、緊急情報記述子によって指定することが可能になっている。
【０００４】
特開2000-261335(リズム時計工業株式会社)では、緊急警報放送を録音する方式について、そして特開昭61-099422(日本電気株式会社)では、緊急放送が何らかの理由で受信できなかった場合、放送があったことを記憶し、表示する方式について述べられている。
【特許文献１】特開２００３−３４８０３４号公報
【特許文献２】特開２０００−２６１３３５号公報
【特許文献３】特開昭６１−０９９４２２号公報
【発明の開示】
【発明が解決しようとする課題】
【０００５】
従来技術ではテレビに一つ登録されている地域コードと、緊急警報放送波で送られてくる地域コードが一致した時のみ受信する、あるいは全ての緊急警報放送を受信するという2通りの形態しかなかった。また、複数地域の受信を希望するがために、全ての緊急警報放送を受信するようにしてしまうと、自分と全く関係が無い地域への緊急警報放送が実施されても、自分の住居地への緊急警報放送と全く同様の受信形態を取る事になってしまっていた。（ＴＶの電源強制Ｏｎ、無用な放送の蓄積など）
本発明では緊急警報放送の対象地域をユーザーが独自に複数選択し、かつ選択地域それぞれに応じた視聴形態をも設定可能なシステムを提供する。
【課題を解決するための手段】
【０００６】
請求項１のテレビジョン受像機は、緊急警報放送の受信が可能なテレビジョン受像機であって、緊急警報放送の受信を希望する地域をユーザーが複数選択する手段を有し、該選択手段により選択された地域のいずれかに対する緊急警報放送のみの選択受信を可能とする事を特徴とする。
【０００７】
請求項２のテレビジョン受像機は、緊急警報放送の受信が可能なテレビジョン受像機であって、請求項１の緊急警報放送受信地域選択手段により選択された地域それぞれに対し、ユーザーがあらかじめ視聴形態を設定する手段を有し、該視聴形態設定手段により設定された内容に応じて緊急警報放送の視聴形態を自動的に変更可能とする事を特徴とする。
【発明の効果】
【０００８】
本発明を利用すれば、自分の居住地以外だが自分と関係が深い地域に対する緊急警報放送についてもタイムリーな視聴あるいは確実な情報入手を可能とし、また、選択した地域それぞれについての視聴形態をも設定できるので、むやみに強制的に視聴させられたり、無用な蓄積が行われたりすることなく、関心（あるいは必要性）の度合いに応じた視聴形態を自動的に得ることが出来る。
【発明を実施するための最良の形態】
【０００９】
（第一実施形態）
図１に本発明の第一実施形態のブロック図を示す。チューナー１は各種アンテナ（図示せず）から空中波や衛星波を受信するもので、番組を視聴するための各種信号処理を行う信号処理部２に受信したデータを受け渡す。通常放送の場合、信号処理を経た後は表示部３及びスピーカー４に出力が行われ、視聴を楽しむということとなる。
【００１０】
緊急警報放送を複数地域、また、それぞれの視聴形態を変更するには、まずユーザーは事前準備として、緊急警報放送の受信を希望する地域と、それぞれの地域に対する視聴形態をメモリー5に記憶させねばならない。まず、受信希望地域選択の方法としては、表示部3に緊急放送記述子などに基づいた区分けを付加した地図を表示して、その地図内からリモコン１０を使用して、受信希望地域を選択しても良いし、郵便番号や地番から検索することも考えられるし、自分の地域コードを知っていればそれを直接入力しても良い。
【００１１】
次に視聴形態を選択地域ごとに決定する。これは二段階に分けて考える。第一段階として選択地域ごとに視聴レベルを設定する。選択地域１は視聴レベル２、選択地域２は視聴レベル３といった具合である。第二段階として、視聴レベルごとの具体的な動作を設定する。レベル１は居住地域への緊急警報放送用に予約とする。（強制電源On・強制視聴など）
レベル２以降については視聴を促す警報、放送の蓄積（録画・印刷）、受信を示すLEDの色等を個別に設定する。
【００１２】
以下に具体的に設定した例を示す。
【００１３】
選択地域１：自宅・レベル１
選択地域２：両親居住地域・レベル２
選択地域３：勤務先工場所在地・レベル３
レベル１：強制電源On・強制視聴
レベル2：視聴を促す警報・放送の蓄積（録画・印刷）・レベル2を示す色のLED点灯
レベル３：放送の蓄積（録画・印刷）・レベル3を示す色のLED点灯
このように個人のニーズに合うように緊急警報放送の受信地域と視聴形態を設定出来る。
【００１４】
さらに進んで、実際に緊急警報放送が行われたとき、上記設定例と同じ設定がなされていたと仮定した場合の本発明の動作について説明する。
【００１５】
図３は本発明の第一実施形態での動作を示すフローチャートである。まず、緊急警報放送が行われたとき(Step101でY)、信号処理部２はその旨をCPU３に報告すると同時に、該当放送に含まれていた地域コードを送出する(Step102)。CPU3は送られてきた地域コードが、視聴を設定されている地域コードのうちのどれかと一致するかどうか、メモリー５に記憶してあった内容を読み込んだ上確認する(Step103)。一致しなければ（Step103でN）何もしない。一致した場合（Step103でY）は、どのレベルの視聴形態が設定されているか、メモリー5に記憶してあった情報を基にチェックする(Step104)。設定視聴レベルが1（Step104でY）で、テレビがスタンバイ状態の場合（Step105でN）、強制的に電源をOnし、視聴を行う(Step106)。別のチャンネルを視聴中の場合（Step107でN）には、強制的に緊急警報放送を行っているチャンネルに変更する(Step108)。設定視聴レベルが２（Step109でY）で、視聴が行われていない場合（Step110でN）、視聴を促す警報音をCPU3の制御の下、スピーカー４を通じて一定時間発する(Step112)。その間に緊急警報放送の視聴が行われれば（Step110、111がY）そこで動作は終了。一定時間視聴が行われなければ（Step113でY）、放送を蓄積する（録画）(Step114)。録画はCPU3の制御の下、内部の記憶媒体７（メモリーやHDDなど）に行う。さらに、レベル2受信を示す色をLED８に点灯し(Step114)、ユーザーに放送を受信したことを知らせる。
【００１６】
設定視聴レベルが３の場合特に視聴を促すような事はせず、放送を内部の記憶媒体７（メモリーやHDD）に録画し、レベル3受信を示す色をLED８に点灯する(Step115)。
【００１７】
（第二実施形態）
図２に本発明の第二実施形態のブロック図を示す。外部に制御可能なプリンタを備えた以外は基本的に第一実施形態で述べた物と同じである。
【００１８】
第二実施形態についても、実際に緊急警報放送が行われたとき、第一実施形態で仮定した設定が行われていた場合の動作について説明する。
【００１９】
図４は本発明の第二実施形態での動作を示すフローチャートである。まず、緊急警報放送が行われたとき(Step201でY)、信号処理部２はその旨をCPU３に報告すると同時に、該当放送に含まれていた地域コードを送出する(Step202)。CPU3は送られてきた地域コードが、視聴を設定されている地域コードのうちのどれかと一致するかどうか、メモリー５に記憶してあった内容を読み込んだ上確認する(Step203)。一致しなければ（Step203でN）何もしない。一致した場合（Step203でY）は、どのレベルの視聴形態が設定されているか、メモリー5に記憶してあった情報を基にチェックする(Step204)。設定視聴レベルが1（Step204でY）で、テレビがスタンバイ状態の場合（Step205でN）、強制的に電源をOnし、視聴を行う(Step206)。別のチャンネルを視聴中の場合（Step207でN）には、強制的に緊急警報放送を行っているチャンネルに変更する(Step208)。設定視聴レベルが２（Step209でY）で、視聴が行われていない場合（Step210でN）、視聴を促す警報音をCPU3の制御の下、スピーカー４を通じて一定時間発する(Step212)。その間に緊急警報放送の視聴が行われれば（Step210、211がY）そこで動作は終了。一定時間視聴が行われなければ（Step213でY）、放送を蓄積する（録画・印刷）(Step214)。録画はCPU3の制御の下、内部の記憶媒体７（メモリーやHDDなど）に行う。印刷はCPU３の制御の下、外部プリンタI/F１１を通じて行う。印刷する内容としては画面コピーや、緊急放送が行われた地域名（事前に設定した選択地域番号でも良い）、日時などが考えられる。さらに、レベル2受信を示す色をLED８に点灯し(Step214)、ユーザーに放送を受信したことを知らせる。
【００２０】
設定視聴レベルが３の場合特に視聴を促すような事はせず、放送を内部の記憶媒体７（メモリーやHDD）に録画し、CPU３の制御の下、外部プリンタI/F１１を通じて印刷を行い、レベル3受信を示す色をLED８に点灯する(Step215)。
【図面の簡単な説明】
【００２１】
【図１】本発明のシステムブロック図。
【図２】本発明の実施例２のシステムブロック図。
【図３】本発明の実施例１のフローチャート。
【図４】本発明の実施例２のフローチャート。
【符号の説明】
【００２２】
１  放送波を受信するためのチューナー
２  受信した放送波を視聴可能な形態に変換する各種信号処理部
３  表示部（画面）
４  スピーカー
５  各種設定を記憶するためのメモリー
６  CPU
７  緊急警報放送を録画する記憶媒体（メモリー・HDD等）
８  受信レベルを示すLED
９  リモコンとのI/F
１０  各種操作を行うリモコン
１１  外部プリンタとのI/F
１２  外部プリンタ
【図１】
2007251520.tif 000003
【図２】
2007251520.tif 000004
【図３】
2007251520.tif 000005
【図４】
2007251520.tif 000006